(57)【要約】【課題】表示装置で好適な画像表示を行うことができる技術を提供する。【解決手段】本発明の表示装置は、第１の画像データと第２の画像データとを取得する取得手段と、前記第１の画像データに対して第１の階調変換処理を施すことにより、第１の処理画像データを生成し、前記第２の画像データに対して第２の階調変換処理を施すことにより、第２の処理画像データを生成する変換手段と、前記第１の処理画像データに対して所定の画像処理を施すことにより、第３の処理画像データを生成する処理手段と、前記第２の処理画像データに基づく画像と、前記第３の処理画像データに基づく画像とを、画面に並べて表示する表示手段と、を有し、前記第１の階調変換処理では、前記取得手段によって取得された画像データの所定の階調値以下の階調範囲である注目階調範囲の圧縮率が、前記第２の階調変換処理よりも低い。【選択図】図１
2018124377.tif 000002
【特許請求の範囲】
【請求項１】
被写体を撮像することによって第１の画像データと第２の画像データとを生成する撮像装置に接続可能な表示装置であって、
前記第１の画像データと前記第２の画像データとを取得する取得手段と、
前記第１の画像データに対して第１の階調変換処理を施すことにより、第１の処理画像データを生成し、前記第２の画像データに対して第２の階調変換処理を施すことにより、第２の処理画像データを生成する変換手段と、
前記第１の処理画像データに対して所定の画像処理を施すことにより、第３の処理画像データを生成する処理手段と、
前記第２の処理画像データに基づく画像と、前記第３の処理画像データに基づく画像とを、画面に並べて表示する表示手段と、
を有し、
前記第１の階調変換処理では、前記取得手段によって取得された画像データの所定の階調値以下の階調範囲である注目階調範囲の圧縮率が、前記第２の階調変換処理よりも低いことを特徴とする表示装置。
【請求項２】
前記取得手段によって取得された画像データに付加されている情報に基づいて、前記取得手段によって取得された２つの画像データを、前記第１の画像データと前記第２の画像データとして判断する判断手段、をさらに有する
ことを特徴とする請求項１に記載の表示装置。
【請求項３】
前記第１の階調変換処理は、前記注目階調範囲を圧縮せずに、前記注目階調範囲の外側の階調値を、前記注目階調範囲の内側の階調値に制限する処理であり、
前記第２の階調変換処理は、階調範囲全体を圧縮する処理である
ことを特徴とする請求項１または２に記載の表示装置。
【請求項４】
前記第１の画像データは、ベイヤーパターンを有する画像データであり、
前記第２の画像データは、ベイヤーパターンとは異なる画素配列を有する画像データである
ことを特徴とする請求項１〜３のいずれか１項に記載の表示装置。
【請求項５】
前記第１の画像データは、記録用の画像データであり、
前記第２の画像データは、表示用の画像データである
ことを特徴とする請求項１〜４のいずれか１項に記載の表示装置。
【請求項６】
前記第１の画像データは、前記所定の画像処理が施されていない画像データであり、
前記第２の画像データは、前記所定の画像処理が施されている画像データである
ことを特徴とする請求項１〜５のいずれか１項に記載の表示装置。
【請求項７】
前記所定の画像処理は、エッジを検出し、且つ、エッジの検出結果が示されるように画像データを補正する処理である
ことを特徴とする請求項１〜６のいずれか１項に記載の表示装置。
【請求項８】
撮像装置と表示装置を有する表示システムであって、
前記撮像装置は、
被写体を撮像することによって第１の画像データと第２の画像データを生成する生成手段と、
前記表示装置で所定の表示モードが設定されている場合に、前記第１の画像データと前記第２の画像データの少なくとも一方に所定の情報を付加する付加手段と、
前記所定の表示モードが設定されている場合に、前記所定の情報が付加された後の第１の画像データと第２の画像データとを、前記表示装置に出力する出力手段と、
を有し、
前記表示装置は、
前記所定の表示モードを含む複数の表示モードのいずれかを設定する設定手段と、
前記所定の表示モードが設定されている場合に、前記所定の情報が付加された後の前記第１の画像データと前記第２の画像データとを、前記撮像装置から取得する取得手段と、
前記所定の表示モードが設定されている場合に、前記取得手段によって取得された画像データに付加されている前記所定の情報に基づいて、前記取得手段によって取得された２つの画像データを、前記第１の画像データと前記第２の画像データとして判断する判断手段と、
前記所定の表示モードが設定されている場合に、前記取得手段によって取得された前記第１の画像データに対して第１の階調変換処理を施すことにより、第１の処理画像データを生成し、前記取得手段によって取得された前記第２の画像データに対して第２の階調変換処理を施すことにより、第２の処理画像データを生成する変換手段と、
前記所定の表示モードが設定されている場合に、前記第１の処理画像データに対して所定の画像処理を施すことにより、第３の処理画像データを生成する処理手段と、
前記所定の表示モードが設定されている場合に、前記第２の処理画像データに基づく画像と、前記第３の処理画像データに基づく画像とを、画面に並べて表示する表示手段と、
を有し、
前記第１の階調変換処理では、前記取得手段によって取得された画像データの所定の階調値以下の階調範囲である注目階調範囲の圧縮率が、前記第２の階調変換処理よりも低いことを特徴とする表示システム。
【請求項９】
前記所定の表示モードが設定されている場合に、前記生成手段は、前記被写体を撮像することによって生成された画像データを前記第１の画像データとして採用し、前記被写体を撮像することによって生成された前記画像データに対して前記所定の画像処理を施すことにより前記第２の画像データを生成する
ことを特徴とする請求項８に記載の表示システム。
【請求項１０】
前記第１の階調変換処理は、前記注目階調範囲を圧縮せずに、前記注目階調範囲の外側の階調値を、前記注目階調範囲の内側の階調値に制限する処理であり、
前記第２の階調変換処理は、階調範囲全体を圧縮する処理である
ことを特徴とする請求項８または９に記載の表示システム。
【請求項１１】
画像データを取得する取得手段と、
前記取得手段によって取得された前記画像データが記録用の画像データである場合に、前記取得手段によって取得された前記画像データに対して第１の階調変換処理を施すことにより、第１の処理画像データを生成し、前記取得手段によって取得された前記画像データが記録用の画像データでない場合に、前記取得手段によって取得された前記画像データに対して第２の階調変換処理を施すことにより、第２の処理画像データを生成する変換手段と、
前記取得手段によって取得された前記画像データが記録用の画像データである場合に、前記第１の処理画像データに対して所定の画像処理を施すことにより、第３の処理画像データを生成する処理手段と、
前記取得手段によって取得された前記画像データが記録用の画像データである場合に、前記第３の処理画像データに基づく画像を画面に表示し、前記取得手段によって取得された前記画像データが記録用の画像データでない場合に、前記第２の処理画像データに基づ
く画像を前記画面に表示する表示手段と、
を有し、
前記第１の階調変換処理では、取得された前記画像データの所定の階調値以下の階調範囲である注目階調範囲の圧縮率が、前記第２の階調変換処理よりも低い
ことを特徴とする表示装置。
【請求項１２】
前記第１の階調変換処理は、前記注目階調範囲を圧縮せずに、前記注目階調範囲の外側の階調値を、前記注目階調範囲の内側の階調値に制限する処理であり、
前記第２の階調変換処理は、階調範囲全体を圧縮する処理である
ことを特徴とする請求項１１に記載の表示装置。
【請求項１３】
被写体を撮像することによって第１の画像データと第２の画像データとを生成する撮像装置に接続可能な表示装置による表示方法であって、
前記第１の画像データと前記第２の画像データとを取得する取得ステップと、
前記第１の画像データに対して第１の階調変換処理を施すことにより、第１の処理画像データを生成し、前記第２の画像データに対して第２の階調変換処理を施すことにより、第２の処理画像データを生成する変換ステップと、
前記第１の処理画像データに対して所定の画像処理を施すことにより、第３の処理画像データを生成する処理ステップと、
前記第２の処理画像データに基づく画像と、前記第３の処理画像データに基づく画像とを、画面に並べて表示する表示ステップと、
を有し、
前記第１の階調変換処理では、前記取得ステップによって取得された画像データの所定の階調値以下の階調範囲である注目階調範囲の圧縮率が、前記第２の階調変換処理よりも低い
ことを特徴とする表示方法。
【請求項１４】
撮像装置と表示装置を有する表示システムによる表示方法であって、
前記撮像装置が、被写体を撮像することによって第１の画像データと第２の画像データを生成する生成ステップと、
前記表示装置が、所定の表示モードを含む複数の表示モードのいずれかを設定する設定ステップと、
前記撮像装置が、前記所定の表示モードが設定されている場合に、前記第１の画像データと前記第２の画像データの少なくとも一方に所定の情報を付加する付加ステップと、
前記撮像装置が、前記所定の表示モードが設定されている場合に、前記所定の情報が付加された後の第１の画像データと第２の画像データとを、前記表示装置に出力する出力ステップと、
前記表示装置が、前記所定の表示モードが設定されている場合に、前記所定の情報が付加された後の前記第１の画像データと前記第２の画像データとを、前記撮像装置から取得する取得ステップと、
前記表示装置が、前記所定の表示モードが設定されている場合に、前記取得ステップによって取得された画像データに付加されている前記所定の情報に基づいて、前記取得ステップによって取得された２つの画像データを、前記第１の画像データと前記第２の画像データとして判断する判断ステップと、
前記表示装置が、前記所定の表示モードが設定されている場合に、前記取得ステップによって取得された前記第１の画像データに対して第１の階調変換処理を施すことにより、第１の処理画像データを生成し、前記取得ステップによって取得された前記第２の画像データに対して第２の階調変換処理を施すことにより、第２の処理画像データを生成する変換ステップと、
前記表示装置が、前記所定の表示モードが設定されている場合に、前記第１の処理画像
データに対して所定の画像処理を施すことにより、第３の処理画像データを生成する処理ステップと、
前記表示装置が、前記所定の表示モードが設定されている場合に、前記第２の処理画像データに基づく画像と、前記第３の処理画像データに基づく画像とを、画面に並べて表示する表示ステップと、
を有し、
前記第１の階調変換処理では、前記取得ステップによって取得された画像データの所定の階調値以下の階調範囲である注目階調範囲の圧縮率が、前記第２の階調変換処理よりも低い
ことを特徴とする表示方法。
【請求項１５】
画像データを取得する取得ステップと、
前記取得ステップによって取得された前記画像データが記録用の画像データである場合に、前記取得ステップによって取得された前記画像データに対して第１の階調変換処理を施すことにより、第１の処理画像データを生成し、前記取得ステップによって取得された前記画像データが記録用の画像データでない場合に、前記取得ステップによって取得された前記画像データに対して第２の階調変換処理を施すことにより、第２の処理画像データを生成する変換ステップと、
前記取得ステップによって取得された前記画像データが記録用の画像データである場合に、前記第１の処理画像データに対して所定の画像処理を施すことにより、第３の処理画像データを生成する処理ステップと、
前記取得ステップによって取得された前記画像データが記録用の画像データである場合に、前記第３の処理画像データに基づく画像を画面に表示し、前記取得ステップによって取得された前記画像データが記録用の画像データでない場合に、前記第２の処理画像データに基づく画像を前記画面に表示する表示ステップと、
を有し、
前記第１の階調変換処理では、取得された前記画像データの所定の階調値以下の階調範囲である注目階調範囲の圧縮率が、前記第２の階調変換処理よりも低い
ことを特徴とする表示方法。
【請求項１６】
請求項１３〜１５のいずれか１項に記載の表示方法の各ステップをコンピュータに実行させるためのプログラム。
【発明の詳細な説明】
【技術分野】
【０００１】
本発明は、表示装置、表示システム、及び、表示方法に関する。
【背景技術】
【０００２】
ダイナミックレンジの広い画像の表示方法として、表示可能なビット範囲を所定の条件（主要な被写体が存在する部分など）に基づいて抽出し、抽出したビット範囲を表示する方法が提案されている（特許文献１）。また、画面上に複数の画像を配置するマルチ画面表示として、撮像装置に搭載された表示部の画面上に複数の撮像画像（撮像によって生成された画像；被写体を表す画像）を配置するマルチ画面表示が提案されている（特許文献２）。
【０００３】
近年、撮像装置の撮像センサの大判化に伴い、撮影者によるフォーカス合わせが困難化している。さらに、撮像装置が有するＥＶＦ（Ｅｌｅｃｔｏｒｉｃ  Ｖｉｅｗ  Ｆｉｎｄｅｒ）、撮像装置が有する小型液晶モニタ、等では十分にフォーカス確認が行えないことがある。そこで、撮像装置の外部装置である高精細な表示装置を使用したフォーカス確認が検討されている。
【０００４】
また、ダイナミックレンジの広い画像を表示装置で表示する際の表示輝度（画面上の輝度）の割り当て方法として、「クリップ方式」、「圧縮方式」、等が存在する。図２（Ａ）は圧縮方式の一例を示し、図２（Ｂ）はクリップ方式の一例を示す。図２（Ａ），２（Ｂ）の例では、撮像画像のダイナミックレンジが０％〜８００％のレンジであり、表示輝度のレンジが０ｎｉｔ〜４００ｎｉｔのレンジである。図２（Ａ）に示すように、圧縮方式では、撮像画像のダイナミックレンジ（０％〜８００％）の全体が、表示輝度のレンジ（０ｎｉｔ〜４００ｎｉｔ）に圧縮されて表示される。図２（Ｂ）に示すように、クリップ方式では、撮像画像のダイナミックレンジの一部（０％〜４００％）が、圧縮されずに、０ｎｉｔ〜４００ｎｉｔの表示輝度が割り当てられて表示される。撮像画像のダイナミックレンジの残りの部分は、所定の表示輝度で表示される。図２（Ｂ）の例では、４００％以上の輝度（撮像画像の輝度）が４００ｎｉｔの表示輝度で表示される。
【先行技術文献】
【特許文献】
【０００５】
【特許文献１】特開２００２−２２３３５５号公報
【特許文献２】特開２００２−１４２１４８号公報
【発明の概要】
【発明が解決しようとする課題】
【０００６】
高精度なフォーカス確認のために、クリップ方式の画像と圧縮方式の画像とを表示装置の画面上に配置するマルチ画面表示が行われ、それらの画像をユーザが見比べることが考えられる。しかしながら、特許文献１，２に開示の技術では、撮像画像を高精細な表示装置で表示することはできない。さらに、特許文献１，２に開示の技術では、クリップ方式の表示と、圧縮方式の表示とを同時に行うことができない。そのため、ユーザは、クリップ方式の画像と圧縮方式の画像を見比べることができない。
【０００７】
本発明は、表示装置で好適な画像表示を行うことができ、ひいてはフォーカス確認などに対する利便性を向上することができる技術を提供することを目的とする。
【課題を解決するための手段】
【０００８】
本発明の第１の態様は、
被写体を撮像することによって第１の画像データと第２の画像データとを生成する撮像装置に接続可能な表示装置であって、
前記第１の画像データと前記第２の画像データとを取得する取得手段と、
前記第１の画像データに対して第１の階調変換処理を施すことにより、第１の処理画像データを生成し、前記第２の画像データに対して第２の階調変換処理を施すことにより、第２の処理画像データを生成する変換手段と、
前記第１の処理画像データに対して所定の画像処理を施すことにより、第３の処理画像データを生成する処理手段と、
前記第２の処理画像データに基づく画像と、前記第３の処理画像データに基づく画像とを、画面に並べて表示する表示手段と、
を有し、
前記第１の階調変換処理では、前記取得手段によって取得された画像データの所定の階調値以下の階調範囲である注目階調範囲の圧縮率が、前記第２の階調変換処理よりも低いことを特徴とする表示装置である。
【０００９】
本発明の第２の態様は、
撮像装置と表示装置を有する表示システムであって、
前記撮像装置は、
被写体を撮像することによって第１の画像データと第２の画像データを生成する生成手段と、
前記表示装置で所定の表示モードが設定されている場合に、前記第１の画像データと前記第２の画像データの少なくとも一方に所定の情報を付加する付加手段と、
前記所定の表示モードが設定されている場合に、前記所定の情報が付加された後の第１の画像データと第２の画像データとを、前記表示装置に出力する出力手段と、
を有し、
前記表示装置は、
前記所定の表示モードを含む複数の表示モードのいずれかを設定する設定手段と、
前記所定の表示モードが設定されている場合に、前記所定の情報が付加された後の前記第１の画像データと前記第２の画像データとを、前記撮像装置から取得する取得手段と、
前記所定の表示モードが設定されている場合に、前記取得手段によって取得された画像データに付加されている前記所定の情報に基づいて、前記取得手段によって取得された２つの画像データを、前記第１の画像データと前記第２の画像データとして判断する判断手段と、
前記所定の表示モードが設定されている場合に、前記取得手段によって取得された前記第１の画像データに対して第１の階調変換処理を施すことにより、第１の処理画像データを生成し、前記取得手段によって取得された前記第２の画像データに対して第２の階調変換処理を施すことにより、第２の処理画像データを生成する変換手段と、
前記所定の表示モードが設定されている場合に、前記第１の処理画像データに対して所定の画像処理を施すことにより、第３の処理画像データを生成する処理手段と、
前記所定の表示モードが設定されている場合に、前記第２の処理画像データに基づく画像と、前記第３の処理画像データに基づく画像とを、画面に並べて表示する表示手段と、
を有し、
前記第１の階調変換処理では、前記取得手段によって取得された画像データの所定の階調値以下の階調範囲である注目階調範囲の圧縮率が、前記第２の階調変換処理よりも低いことを特徴とする表示システムである。
【００１０】
本発明の第３の態様は、
画像データを取得する取得手段と、
前記取得手段によって取得された前記画像データが記録用の画像データである場合に、前記取得手段によって取得された前記画像データに対して第１の階調変換処理を施すことにより、第１の処理画像データを生成し、前記取得手段によって取得された前記画像データが記録用の画像データでない場合に、前記取得手段によって取得された前記画像データに対して第２の階調変換処理を施すことにより、第２の処理画像データを生成する変換手段と、
前記取得手段によって取得された前記画像データが記録用の画像データである場合に、前記第１の処理画像データに対して所定の画像処理を施すことにより、第３の処理画像データを生成する処理手段と、
前記取得手段によって取得された前記画像データが記録用の画像データである場合に、前記第３の処理画像データに基づく画像を画面に表示し、前記取得手段によって取得された前記画像データが記録用の画像データでない場合に、前記第２の処理画像データに基づく画像を前記画面に表示する表示手段と、
を有し、
前記第１の階調変換処理では、取得された前記画像データの所定の階調値以下の階調範囲である注目階調範囲の圧縮率が、前記第２の階調変換処理よりも低い
ことを特徴とする表示装置である。
【００１１】
本発明の第４の態様は、
被写体を撮像することによって第１の画像データと第２の画像データとを生成する撮像装置に接続可能な表示装置による表示方法であって、
前記第１の画像データと前記第２の画像データとを取得する取得ステップと、
前記第１の画像データに対して第１の階調変換処理を施すことにより、第１の処理画像データを生成し、前記第２の画像データに対して第２の階調変換処理を施すことにより、第２の処理画像データを生成する変換ステップと、
前記第１の処理画像データに対して所定の画像処理を施すことにより、第３の処理画像データを生成する処理ステップと、
前記第２の処理画像データに基づく画像と、前記第３の処理画像データに基づく画像とを、画面に並べて表示する表示ステップと、
を有し、
前記第１の階調変換処理では、前記取得ステップによって取得された画像データの所定の階調値以下の階調範囲である注目階調範囲の圧縮率が、前記第２の階調変換処理よりも低い
ことを特徴とする表示方法である。
【００１２】
本発明の第５の態様は、
撮像装置と表示装置を有する表示システムによる表示方法であって、
前記撮像装置が、被写体を撮像することによって第１の画像データと第２の画像データを生成する生成ステップと、
前記表示装置が、所定の表示モードを含む複数の表示モードのいずれかを設定する設定ステップと、
前記撮像装置が、前記所定の表示モードが設定されている場合に、前記第１の画像データと前記第２の画像データの少なくとも一方に所定の情報を付加する付加ステップと、
前記撮像装置が、前記所定の表示モードが設定されている場合に、前記所定の情報が付加された後の第１の画像データと第２の画像データとを、前記表示装置に出力する出力ステップと、
前記表示装置が、前記所定の表示モードが設定されている場合に、前記所定の情報が付加された後の前記第１の画像データと前記第２の画像データとを、前記撮像装置から取得する取得ステップと、
前記表示装置が、前記所定の表示モードが設定されている場合に、前記取得ステップによって取得された画像データに付加されている前記所定の情報に基づいて、前記取得ステップによって取得された２つの画像データを、前記第１の画像データと前記第２の画像データとして判断する判断ステップと、
前記表示装置が、前記所定の表示モードが設定されている場合に、前記取得ステップによって取得された前記第１の画像データに対して第１の階調変換処理を施すことにより、第１の処理画像データを生成し、前記取得ステップによって取得された前記第２の画像データに対して第２の階調変換処理を施すことにより、第２の処理画像データを生成する変換ステップと、
前記表示装置が、前記所定の表示モードが設定されている場合に、前記第１の処理画像データに対して所定の画像処理を施すことにより、第３の処理画像データを生成する処理ステップと、
前記表示装置が、前記所定の表示モードが設定されている場合に、前記第２の処理画像データに基づく画像と、前記第３の処理画像データに基づく画像とを、画面に並べて表示する表示ステップと、
を有し、
前記第１の階調変換処理では、前記取得ステップによって取得された画像データの所定の階調値以下の階調範囲である注目階調範囲の圧縮率が、前記第２の階調変換処理よりも低い
ことを特徴とする表示方法である。
【００１３】
本発明の第６の態様は、
画像データを取得する取得ステップと、
前記取得ステップによって取得された前記画像データが記録用の画像データである場合に、前記取得ステップによって取得された前記画像データに対して第１の階調変換処理を施すことにより、第１の処理画像データを生成し、前記取得ステップによって取得された前記画像データが記録用の画像データでない場合に、前記取得ステップによって取得された前記画像データに対して第２の階調変換処理を施すことにより、第２の処理画像データを生成する変換ステップと、
前記取得ステップによって取得された前記画像データが記録用の画像データである場合に、前記第１の処理画像データに対して所定の画像処理を施すことにより、第３の処理画像データを生成する処理ステップと、
前記取得ステップによって取得された前記画像データが記録用の画像データである場合に、前記第３の処理画像データに基づく画像を画面に表示し、前記取得ステップによって取得された前記画像データが記録用の画像データでない場合に、前記第２の処理画像データに基づく画像を前記画面に表示する表示ステップと、
を有し、
前記第１の階調変換処理では、取得された前記画像データの所定の階調値以下の階調範囲である注目階調範囲の圧縮率が、前記第２の階調変換処理よりも低い
ことを特徴とする表示方法である。
【００１４】
本発明の第７の態様は、上述した表示方法の各ステップをコンピュータに実行させるためのプログラムである。
【発明の効果】
【００１５】
本発明によれば、表示装置で好適な画像表示を行うことができ、ひいてはフォーカス確認などに対する利便性を向上することができる。
【図面の簡単な説明】
【００１６】
【図１】実施例１に係る装置の構成例
【図２】実施例１に係る圧縮方式とクリップ方式の一例
【図３】実施例１に係る圧縮方式とクリップ方式の一例
【図４】実施例１に係る装置の接続態様の一例
【図５】実施例１に係るマルチ画面表示の一例
【図６】実施例１に係る表示装置の処理フローの一例
【図７】実施例１に係る入力画像判断の処理フローの一例
【図８】実施例２に係る表示システムの構成例
【図９】実施例２に係る撮像装置の処理フローの一例
【図１０】実施例２に係る表示装置の処理フローの一例
【図１１】実施例３に係る表示装置の構成例
【図１２】実施例３に係る表示装置の処理フローの一例
【発明を実施するための形態】
【００１７】
＜実施例１＞
以下、本発明の実施例１について説明する。
【００１８】
（課題）
本発明の実施例１について説明する前に、従来技術で生じる課題について説明する。
【００１９】
フォーカス確認では、一般的に、「ピーキング処理」と呼ばれる画像処理（アシスト処理）が施された画像が確認することが一般的ある。ピーキング処理は、画像からエッジを検出し、且つ、エッジの画素に着色する画像処理である。撮像装置は、一般的に、記録用の出力端子と表示用の出力端子とを有する。以後、記録用の出力端子を「記録系出力端子」と記載し、表示用の出力端子を「表示系出力端子」と記載する。撮像装置は、被写体を撮像することによって、記録用の画像データと表示用の画像データとを生成する。以後、記録用の画像データを「記録系画像データ」と記載し、表示用の画像データを「表示系画像データ」と記載する。記録系画像データも表示系画像データも、撮像画像（被写体の画像）を表す画像データである。記録系画像データは記録系出力端子から出力され、表示系画像データは表示系出力端子から出力される。撮像装置において、ピーキング処理は、表示系画像データの生成のために行われる。そのため、記録系画像データは、ピーキング処理が施されていない画像データであり、表示系画像データは、ピーキング処理が施されている画像データである。
【００２０】
図４（Ａ）は、撮像装置３０１、表示装置３０２、及び、記憶装置３０３の間の接続態様の一例を示す。図４（Ａ）の例では、撮像装置３０１の記録系出力端子に記憶装置３０３が接続されており、撮像装置３０１の表示系出力端子に表示装置３０２が接続されている。図４（Ａ）の例では、記録系出力端子から出力された記録系画像データが記憶装置３０３に記録され、表示系出力端子から出力された表示系画像データに基づく画像が表示装置３０２で表示される。
【００２１】
図４（Ｂ）は、撮像装置３０１、表示装置３０２、及び、記憶装置３０３の間の接続態様の他の例を示す。図４（Ｂ）の例では、記録系出力端子と表示系出力端子の両方に表示装置３０２が接続されており、表示装置３０２に記憶装置３０３が接続されている。図４（Ｂ）の例では、表示装置３０２は、記録系画像データに基づく画像（記録系画像）、表示系画像データに基づく画像（表示系画像）、等を表示する。また、表示装置３０２は、撮像装置３０１から出力された記録系画像データを、処理を施さずに、記憶装置３０３に記録（出力）する。
【００２２】
記録系出力端子と表示系出力端子の両方を表示装置に接続することにより、表示装置において、画面上に複数の画像を配置するマルチ画面表示を実現することができる。具体的
には、記録系画像と表示系画像の２つの画像を画面上に配置する２画面表示を実現することができる。しかしながら、ピーキング処理は表示系画像データにしか施されていないため、ユーザは、記録系画像を見ても、ピーキング処理の結果を確認することができない。撮像装置または表示装置が記録系画像データに対してピーキング処理を施せば、ユーザは、記録系画像を見ても表示系画像を見ても、ピーキング処理の結果を確認することができる。
【００２３】
高精度なフォーカス確認のために、複数の階調変換処理がそれぞれ施されている複数の画像を画面上に配置するマルチ画面表示が行われ、それらの画像をユーザが見比べることが考えられる。例えば、図５に示すように、クリップ方式の階調変換処理が施されている画像と、圧縮方式の階調変換処理が施されている画像とを画面上に配置するマルチ画面表示（２画面表示）が行われ、それらの画像をユーザが見比べることが考えられる。図５の例では、２つの画像が左右に並べられて表示されている。具体的には、クリップ方式の階調変換処理が施されている画像が左側に表示されており、圧縮方式の階調変換処理が施されている画像が右側に表示されている。
【００２４】
クリップ方式の階調変換処理は、注目階調範囲（所定の階調値以下の階調範囲）を圧縮せずに、注目階調範囲の外側の階調値を、注目階調範囲の内側の階調値に制限する処理である。クリップ方式の階調変換処理では、例えば、注目階調範囲の上限を超える階調値が、注目階調範囲の上限に制限される。注目階調範囲は、例えば、階調変換処理が施される前の画像データで想定されている輝度が表示輝度の範囲内に含まれる階調範囲である。圧縮方式の階調変換処理は、階調範囲（ダイナミックレンジ）全体を圧縮する処理である。
【００２５】
しかしながら、ピーキング処理が施されている画像に対してクリップ方式の階調変換処理を施すと、着色された画素の階調値が注目階調範囲の内側の階調値に制限されることがある。その結果、階調値が注目階調範囲の上限などに制限された画像領域において、着色された画素が不自然に表示されてしまう。
【００２６】
また、圧縮方式の階調変換処理では階調範囲全体がクリップ方式の階調変換処理よりも高い圧縮率で圧縮される。そのため、圧縮方式の階調変換処理が施されている画像データに対してピーキング処理を行った場合には、ピーキング処理（エッジの検出など）の結果として高精度な結果を得ることができない。
【００２７】
（撮像装置の構成）
本実施例に係る撮像装置１０１の構成例について、図１（Ａ）を用いて説明する。
【００２８】
撮像部１０３は、被写体を撮像することにより、記録系画像データと表示系画像データを生成する。例えば、撮像部１０３は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）、等の撮像センサ、Ａ／Ｄ変換器、等を有する。撮像センサは、光学像を表す電気信号（アナログ信号）を生成して出力する。Ａ／Ｄ変換器は、撮像センサから出力されたアナログ信号をデジタル信号（画像データ）に変換する。撮像部１０３は、記録系画像データをグラフィック合成部１０４へ出力し、記録系画像データを記録系アンシラリ合成部１０６へ出力する。
【００２９】
グラフィック合成部１０４は、撮像部１０３から出力された表示系画像データに対してグラフィック画像データを合成する。グラフィック画像データは、タイムコード、波形モニタ、マーカー、等のグラフィック画像を表す。表示系画像データにグラフィック画像データを合成することにより、表示系画像にグラフィック画像が重ねられた画像を表す画像データが生成される（ＯＳＤ（Ｏｎ  Ｓｃｒｅｅｎ  Ｄｉｓｐｌａｙ）合成）。グラフィ
ック合成部１０４は、グラフィック画像データが合成された後の表示系画像データを、表示系アンシラリ合成部１０５へ出力する。
【００３０】
なお、グラフィック合成部１０４は、必要に応じて、撮像部１０３から出力された表示系画像データに対して所定の画像処理を施す。本実施例では、所定の画像処理はピーキング処理である。グラフィック合成部１０４がピーキング処理を行った場合には、グラフィック合成部１０４は、ピーキング処理が施された後の表示系画像データを、表示系アンシラリ合成部１０５へ出力する。
【００３１】
表示系アンシラリ合成部１０５は、グラフィック合成部１０４から出力された表示系画像データのアンシラリ領域に、撮影情報を付加する。そして、表示系アンシラリ合成部１０５は、撮影情報が付加された後の表示系画像データを、表示系出力端子を介して、撮像装置１０１の外部へ出力する。
【００３２】
記録系アンシラリ合成部１０６は、撮像部１０３から出力された記録系画像データのアンシラリ領域に、撮影情報を付加する。そして、記録系アンシラリ合成部１０６は、撮影情報が付加された後の記録系画像データを、記録系出力端子を介して、撮像装置１０１の外部へ出力する。
【００３３】
（表示装置の構成）
本実施例に係る表示装置１０２の構成例について、図１（Ｂ）を用いて説明する。表示装置１０２は、撮像装置１０１に接続可能である。表示装置１０２は、入力端子、入力画像判断部１０７、階調変換部１０８、及び、画像処理部１０９の組み合わせを複数有する。具体的には、記録系画像と表示系画像を画面上に配置する２画面表示のために、表示装置１０２は、入力端子、入力画像判断部１０７、階調変換部１０８、及び、画像処理部１０９の組み合わせを２つ有する。なお、入力端子、入力画像判断部１０７、階調変換部１０８、及び、画像処理部１０９の組み合わせの数は特に限定されない。
【００３４】
入力画像判断部１０７は、入力端子を介して、表示装置１０２の外部から画像データを取得する。そして、入力画像判断部１０７は、取得した画像データを階調変換部１０８へ出力する。例えば、表示装置１０２の２つの入力端子は、撮像装置１０１の２つの出力端子（記録系出力端子と表示系出力端子）にそれぞれ接続される。その場合には、２つの入力画像判断部１０７により、記録系画像データと表示系画像データが取得される。なお、記録系画像データと表示系画像データの両方が１つの入力端子に入力されてもよい。そして、記録系画像データと表示系画像データの両方が１つの入力画像判断部１０７によって取得されてもよい。
【００３５】
入力画像判断部１０７は、入力画像判断部１０７に入力された画像データが記録系画像データであるか表示系画像データであるかを判断する。入力画像判断部１０７に入力される画像データは、表示装置１０２の２つの入力端子と撮像装置１０１の２つの出力端子との接続方法に依存する。そのため、上記判断が必要となる。入力画像判断部１０７は、上記判断の結果を、階調変換部１０８と画像処理部１０９へ出力する。なお、表示装置１０２の２つの入力端子と撮像装置１０１の２つの出力端子との接続方法が一定である場合には、上記判断は省略されてもよい。また、上述したように、複数の画像データが１つの入力画像判断部１０７に入力されてもよい。そして、入力画像判断部１０７は、複数の画像データのそれぞれについて上記判断を行ってもよい。
【００３６】
階調変換部１０８は、入力画像判断部１０７から出力された画像データに対して、画像データのダイナミックレンジ（輝度の範囲）が表示部１１２のダイナミックレンジ（表示輝度の範囲）に近づくように階調値を変換する階調変換処理を施す。階調変換処理により
、例えば、画像データの階調範囲が、表示部１１２で表示可能な階調範囲に狭められる。そして、階調変換部１０８は、階調変換処理が施された後の画像データ（処理画像データ）を、画像処理部１０９へ出力する。階調変換処理は、例えば、ガンマ変換処理である。
【００３７】
例えば、階調変換部１０８は、階調変換処理として、変換前の階調値と変換後の階調値との対応関係を示す所定の情報（テーブル、関数、等）を用いて階調値を変換する処理を行う。階調変換部１０８は、圧縮方式の階調変換処理、クリップ方式の階調変換処理、等を実行可能である。
【００３８】
ここで、入力画像判断部１０７から出力された画像データのダイナミックレンジ（階調範囲）が０％〜８００％のレンジであり、表示部１１２のダイナミックレンジが０ｎｉｔ〜４００ｎｉｔのレンジであるとする。図２（Ａ）は、圧縮方式の階調変換処理の一例を示す。図２（Ａ）の例では、画像データのダイナミックレンジ（０％〜８００％）の全体が、表示部１１２のダイナミックレンジ（０ｎｉｔ〜４００ｎｉｔ）に対応するレンジ（０％〜４００％）に圧縮される。具体的には、圧縮方式の階調変換処理では、図３（Ａ）の対応関係に従って階調値が変換される。図３（Ａ）の横軸は入力値（変換前の階調値）を示し、図３（Ａ）の縦軸は出力値（変換後の階調値）を示す。図３（Ａ）の対応関係では、０％から８００％までの入力値の増加に対して、出力値が０％から４００％まで線形に増加する。
【００３９】
ここで、表示部１１２のダイナミックレンジ（０ｎｉｔ〜４００ｎｉｔ）に対応する階調範囲（０％〜４００％）が注目階調範囲であるとする。図２（Ｂ）は、クリップ方式の階調変換処理の一例を示す。図２（Ｂ）の例では、注目階調範囲が圧縮されずに、注目階調範囲の外側の階調値が、注目階調範囲の内側の階調値に制限される。例えば、注目階調範囲の上限を超える階調値が、注目階調範囲の上限（４００％）に制限される。具体的には、クリップ方式の階調変換処理では、図３（Ｂ）の対応関係に従って階調値が変換される。図３（Ｂ）の横軸は入力値（変換前の階調値）を示し、図３（Ｂ）の縦軸は出力値（変換後の階調値）を示す。図３（Ｂ）の対応関係では、４００％以下の入力値は変換されず、４００％よりも大きい入力値は４００％に変換される。
【００４０】
階調変換部１０８は、入力画像判断部１０７の判断結果に応じて、階調変換処理を切り替える。表示系画像データは、ピーキング処理が施されている画像データである可能性が高く、ピーキング処理が施されている画像データに対するクリップ方式の階調変換処理は好ましくない。そのため、本実施例では、入力画像判断部１０７に入力された画像データが記録系画像データであると判断された場合に、階調変換部１０８は、クリップ方式の階調変換処理（第１の階調変換処理）を行う。入力画像判断部１０７に入力された画像データが表示系画像データであると判断された場合には、階調変換部１０８は、圧縮方式の階調変換処理（第２の階調変換処理）を行う。
【００４１】
なお、第１の階調変換処理はクリップ方式の階調変換処理に限られないし、第２の階調変換処理は圧縮方式の階調変換処理に限られない。第１の階調変換処理において、入力画像判断部１０７によって取得された画像データの注目階調範囲の圧縮率が、第２の階調変換処理よりも低ければ、第１の階調変換処理と第２の階調変換処理はどのような階調変換処理であってもよい。第１の階調変換処理において、注目階調範囲が圧縮されてもよい。第２の階調変換処理において、一部の階調範囲が圧縮されなくてもよい。また、複数の画像データが１つの階調変換部１０８に入力されてもよい。そして、階調変換部１０８は、複数の画像データのそれぞれについて階調変換処理を切り替えて実行してもよい。
【００４２】
画像処理部１０９は、階調変換部１０８から出力された画像データに対してピーキング処理（所定の画像処理）を施すことができる。上述したように、ピーキング処理は、画像
からエッジを検出し、且つ、エッジの画素に着色する画像処理である。画像処理部１０９は、入力画像判断部１０７の判断結果に応じて、ピーキング処理の実行／非実行を切り替える。表示系画像データは、ピーキング処理が施されている画像データである可能性が高いため、画像処理部１０９が表示系画像データに対してピーキング処理を施すと、ピーキング処理が２重に施されている画像データが生成されてしまうことがある。そのため、本実施例では、入力画像判断部１０７に入力された画像データが記録系画像データであると判断された場合に、画像処理部１０９は、階調変換部１０８から出力された画像データに対してピーキング処理を施す。そして、画像処理部１０９は、ピーキング処理が施された後の画像データをレイアウト処理部１１０へ出力する。入力画像判断部１０７に入力された画像データが表示系画像データであると判断された場合には、画像処理部１０９は、階調変換部１０８から出力された画像データを、ピーキング処理を施さずに、レイアウト処理部１１０へ出力する。
【００４３】
なお、ピーキング処理は、上記処理に限られない。例えば、ピーキング処理として、エッジを検出し、且つ、着色とは異なる方法でエッジの検出結果が示されるように画像データを補正する処理が行われてもよい。エッジの検出結果は、例えば、画素の点滅、テキスト画像の合成、等によって示すことができる。所定の画像処理は、ピーキング処理に限られない。所定の画像処理として、エッジ強調処理、色変換処理、ぼかし処理、等が行われてもよい。また、複数の画像データが１つの画像処理部１０９に入力されてもよい。そして、画像処理部１０９は、複数の画像データのそれぞれについて必要に応じて所定の画像処理を実行してもよい。
【００４４】
レイアウト処理部１１０は、２つの画像処理部１０９からそれぞれ出力された２つの画像データを合成するレイアウト処理を行い、レイアウト処理によって生成された画像データを表示部１１２へ出力する。レイアウト処理によって、上記２つの画像データに基づく２つの画像が配置された画像を表す画像データが生成される。本実施例では、レイアウト処理部１１０は、上記２つの画像データをフレームメモリ１１１に書き込み、当該２つの画像データをフレームメモリ１１１から読み出して合成する。
【００４５】
フレームメモリ１１１は、レイアウト処理の際に、１フレーム分の画像データを記憶する。
【００４６】
表示部１１２は、レイアウト処理部１１０から出力された画像データに基づく画像を表示する。本実施例では、表示部１１２により、２つの画像処理部１０９からそれぞれ出力された２つの画像データに基づく２つの画像を画面に並べて表示する２画面表示が行われる。ここで、「２つの画像」は、記録系画像と表示系画像である。本実施例の２画面表示では、記録系画像として、クリップ方式の階調変換処理の後にピーキング処理が施されている画像が表示される。また、表示系画像として、ピーキング処理の後に圧縮方式の階調変換処理が施されている画像が表示される。表示系画像として、ピーキング処理が施されておらず、且つ、圧縮方式の階調変換処理が施されている画像が表示されることもある。なお、２つよりも多くの画像を画面に並べて表示するマルチ画面表示が行われてもよい。
【００４７】
（表示装置の処理フロー）
図６のフローチャートを用いて、表示装置１０２の処理フローの一例について説明する。
【００４８】
まず、Ｓ５０１にて、表示装置１０２（例えば、表示装置１０２が有する不図示の設定部）は、ユーザ操作に応じて、マルチ画面表示を行う２画面モードを、表示装置１０２の表示モードとして設定する。なお、２画面モードの設定方法は特に限定されない。２画面モードは自動で設定されてもよい。
【００４９】
次に、Ｓ５０２にて、ユーザは、撮像装置１０１の２つの出力端子（記録系出力端子と表示系出力端子）に表示装置１０２の２つの入力端子をそれぞれ接続する。その後、入力画像判断部１０７、階調変換部１０８、及び、画像処理部１０９の２つの組み合わせのそれぞれについて、Ｓ５０３〜Ｓ５０６の処理が行われる。
【００５０】
Ｓ５０３にて、入力画像判断部１０７は、入力画像判断部１０７に入力された画像データが記録系画像データであるか表示系画像データであるかを判断する。入力画像判断部１０７に入力された画像データが表示系画像データであると判断された場合には、Ｓ５０４へ処理が進められる。入力画像判断部１０７に入力された画像データが記録系画像データであると判断された場合には、Ｓ５０５へ処理が進められる。
【００５１】
Ｓ５０４にて、階調変換部１０８は、入力画像判断部１０７から出力された画像データ（表示系画像データ）に対して、圧縮方式の階調変換処理を施す。そして、画像処理部１０９は、階調変換部１０８から出力された画像データ（圧縮方式の階調変換処理が施されている表示系画像データ）を、ピーキング処理を施さずに、レイアウト処理部１１０へ出力する。その後、Ｓ５０７へ処理が進められる。
【００５２】
Ｓ５０５にて、階調変換部１０８は、入力画像判断部１０７から出力された画像データ（記録系画像データ）に対して、クリップ方式の階調変換処理を施す。次に、Ｓ５０６にて、画像処理部１０９は、階調変換部１０８から出力された画像データ（クリップ方式の階調変換処理が施されている記録系画像データ）に対して、ピーキング処理を施す。そして、画像処理部１０９は、ピーキング処理によって得られた画像データ（クリップ方式の階調変換処理の後にピーキング処理が施されている記録系画像データ）を、レイアウト処理部１１０へ出力する。その後、Ｓ５０７へ処理が進められる。
【００５３】
Ｓ５０７にて、レイアウト処理部１１０は、２つの画像処理部１０９からそれぞれ出力された２つの画像データを合成するレイアウト処理を行い、レイアウト処理によって生成された画像データを表示部１１２へ出力する。そして、表示部１１２は、レイアウト処理部１１０から出力された画像データに基づく画像を表示する。それにより、２画面表示が実現される。
【００５４】
（入力画像判断の処理フロー）
図７のフローチャートを用いて、入力画像判断（図６のＳ５０３の処理）の処理フローの一例について説明する。
【００５５】
まず、Ｓ６０１にて、入力画像判断部１０７は、入力画像データ（入力画像判断部１０７に入力された画像データ）のアンシラリ領域に付加されている撮影情報を参照して、入力画像データが表示系画像データであることの確認を行う。入力画像データが表示系画像データであることが確認できた場合には、Ｓ６０２へ処理が進められる。入力画像データが表示系画像データであることが確認できなかった場合には、Ｓ６０３へ処理が進められる。例えば、入力画像データが表示系画像データであることがアンシラリ領域に記述されている場合には、Ｓ６０２へ処理が進められ、そうでない場合には、Ｓ６０３へ処理が進められる。
【００５６】
Ｓ６０３にて、入力画像判断部１０７は、ＯＳＤ合成のグラフィック画像データが入力画像データに合成されているか否かを判断する。グラフィック画像データが合成されていると判断された場合にはＳ６０２へ処理が進められ、グラフィック画像データが合成されていないと判断された場合にはＳ６０４へ処理が進められる。例えば、入力画像判断部１０７は、入力画像データの階調値のヒストグラムなどを解析することにより、グラフィッ
ク画像データが合成されているか否かを判断することができる。
【００５７】
Ｓ６０２にて、入力画像判断部１０７は、入力画像データが表示系画像データであると判断する。Ｓ６０４にて、入力画像判断部１０７は、入力画像データが記録系画像データであると判断する。
【００５８】
なお、グラフィック画像データが合成されているか否かの判断方法は特に限定されない。グラフィック画像データが合成されている画像データでは、画素間において階調値が急激に変化する箇所が多い。そのため、入力画像判断部１０７は、画素間における階調値の変化に基づいて、グラフィック画像データが合成されているか否かを判断してもよい。
【００５９】
また、入力画像判断の方法は特に限定されない。例えば、Ｓ６０１にて、入力画像データが記録系画像データであることが撮影情報から確認された場合には、Ｓ６０３の処理が省略されて、Ｓ６０１からＳ６０４へ処理が進められてもよい。入力画像データが記録系画像データであるか表示系画像データであるかを撮影情報から確認できる場合には、Ｓ６０３の処理は省略されてもよい。表示系画像データにグラフィック画像データが合成されており、且つ、記録系画像データにグラフィック画像データが合成されていないことが前提である場合には、Ｓ６０１の処理は省略されてもよい。
【００６０】
記録系画像データは、ベイヤーパターンを有する画像データ、いわゆるＲＡＷデータである可能性が高い。そのため、入力画像データがベイヤーパターンを有する場合に、入力画像データが記録系画像データであると判断されてもよい。そして、ベイヤーパターンとは異なる画素配列を入力画像データが有する場合に、入力画像データが表示系画像データであると判断されてもよい。例えば、入力画像データが、ＲＧＢデータ、ＹＣｂＣｒデータ、等である場合に、入力画像データが表示系画像データであると判断されてもよい。
【００６１】
以上述べたように、本実施例によれば、表示装置において、記録系画像データに対して、クリップ方式の階調変換処理（第１の階調変換処理）が施される。そして、クリップ方式の階調変換処理が施されている記録系画像データに対して、ピーキング処理（所定の画像処理）が施される。また、表示系画像データに対して、ピーキング処理が施されずに、圧縮方式の階調変換処理（第２の階調変換処理）が施される。それにより、表示装置で好適な画像表示を行うことができ、ひいてはフォーカス確認などに対する利便性を向上することができる。具体的には、記録系画像、表示系画像、等を好適に表示するマルチ画面表示を表示装置で行うことができる。
【００６２】
＜実施例２＞
以下、本発明の実施例２について説明する。本実施例は、撮像装置と表示装置が連動することによって好適なマルチ画面表示が実現される例を説明する。なお、以下では、実施例１と異なる点（構成、処理、等）について詳しく説明し、実施例１と同様の点についての説明は省略する。
【００６３】
（表示システムの構成）
本実施例に係る表示システムの構成例について、図８を用いて説明する。本実施例に係る表示システムは、撮像装置７０１と表示装置７０２を有する。
【００６４】
まず、撮像装置７０１の構成例について説明する。本実施例では、表示装置７０２において、２画面フォーカス確認モード（所定の表示モード）を含む複数の表示モードのいずれかが設定される。２画面フォーカス確認モードは、フォーカス確認のための２画面表示を行う表示モードである。
【００６５】
モード受信部７０７は、表示装置７０２で２画面フォーカス確認モードが設定されている場合に、２画面フォーカス確認モードが設定されていることを示すモード情報を、表示装置７０２から受信する。そして、モード受信部７０７は、グラフィック合成部７０４、表示系アンシラリ合成部７０５、及び、記録系アンシラリ合成部７０６へ、受信したモード情報を出力する。なお、モード受信部７０７は、２画面フォーカス確認モードが設定されているか否かに依らずに、設定されている表示モードを示すモード情報を、表示装置７０２から受信してもよい。
【００６６】
撮像部７０３は、実施例１の撮像部１０３と同様の処理を行う。また、グラフィック合成部７０４は、実施例１のグラフィック合成部１０４と同様の処理を行う。但し、グラフィック合成部７０４は、２画面フォーカス確認モードが設定されている場合に、撮像部７０３から出力された表示系画像データに対してピーキング処理（所定の画像処理）を施す。そのため、２画面フォーカス確認モードが設定されている場合に、撮像部７０３から出力された表示系画像データに対してピーキング処理を施すことにより、表示系アンシラリ合成部７０５に入力される表示系画像データが生成される。また、撮像部７０３から出力された記録系画像データが、記録系アンシラリ合成部７０６に入力される記録系画像データとして採用される。２画面フォーカス確認モードが設定されているか否かは、モード受信部７０７から出力されたモード情報に応じて判断することができる。なお、グラフィック合成部７０４は、２画面フォーカス確認モードが設定されているか否かに依らずにピーキング処理を行ってもよい。
【００６７】
表示系アンシラリ合成部７０５は、実施例１の表示系アンシラリ合成部１０５と同様の処理を行う。但し、表示系アンシラリ合成部７０５は、２画面フォーカス確認モードが設定されている場合に、グラフィック合成部７０４から出力された表示系画像データのアンシラリ領域に所定の情報を付加し、所定の情報が付加された後の表示系画像データを出力する。具体的には、グラフィック合成部７０４から出力された表示系画像データのアンシラリ領域に、所定の情報として、画像データが表示系画像データであることを示す画像情報が付加される。
【００６８】
記録系アンシラリ合成部７０６は、実施例１の記録系アンシラリ合成部１０６と同様の処理を行う。但し、記録系アンシラリ合成部７０６は、２画面フォーカス確認モードが設定されている場合に、撮像部７０３から出力された記録系画像データのアンシラリ領域に所定の情報を付加し、所定の情報が付加されたとの記録系画像データを出力する。具体的には、撮像部７０３から出力された記録系画像データのアンシラリ領域に、所定の情報として、画像データが記録系画像データであることを示す画像情報が付加される。
【００６９】
なお、２画面フォーカス確認モードが設定されている場合において、表示系画像データと記録系画像データの少なくとも一方に所定の情報が付加されればよい。そのため、表示系画像データと記録系画像データの一方にのみ所定の情報が付加されてもよい。
【００７０】
次に、表示装置７０２の構成例について説明する。２画面フォーカス確認モードが設定されている場合において、入力画像判断部７０８、階調変換部７０９、及び、画像処理部７１０は、実施例１の入力画像判断部１０７、階調変換部１０８、及び、画像処理部１０９と同様の処理を行う。また、２画面フォーカス確認モードが設定されている場合において、レイアウト処理部７１１、フレームメモリ７１２、及び、表示部７１３は、実施例１のレイアウト処理部１１０、フレームメモリ１１１、及び、表示部１１２と同様の処理を行う。
【００７１】
モード設定部７１４は、複数の表示モードのいずれかを設定する。なお、表示モードの設定方法は特に限定されない。例えば、表示装置７０２に対するユーザ操作に応じて表示
モードが設定されてもよいし、表示モードが自動で設定されてもよい。
【００７２】
モード送信部７１５は、モード設定部７１４によって２画面フォーカス確認モードが設定された場合に、２画面フォーカス確認モードが設定されていることを示すモード情報を、撮像装置７０１へ送信する。なお、モード送信部７１５は、２画面フォーカス確認モードが設定されているか否かに依らずに、設定されている表示モードを示すモード情報を、撮像装置７０１へ送信してもよい。装置間におけるモード情報の送受信は、有線通信により実現されてもよいし、無線通信により実現されてもよい。装置間における画像データの送受信も同様である。
【００７３】
（撮像装置の処理フロー）
図９のフローチャートを用いて、撮像装置７０１の処理フローの一例について説明する。ここでは、２画面フォーカス確認モードが設定されている場合の例を説明する。
【００７４】
まず、Ｓ８０１にて、モード受信部７０７は、２画面フォーカス確認モードが設定されていることを示すモード情報を、表示装置７０２から受信する。
【００７５】
次に、Ｓ８０２にて、撮像装置７０１（例えば、撮像装置７０１が有する不図示の検出部）は、撮像装置７０１の２つの出力端子（記録系出力端子と表示系出力端子）に対する表示装置７０２の２つの入力端子の接続を検出する。
【００７６】
そして、Ｓ８０３にて、グラフィック合成部７０４は、撮像部７０３から出力された表示系画像データに対してピーキング処理を施し、ピーキング処理が施された後の表示系画像データを表示系アンシラリ合成部７０５へ出力する。
【００７７】
次に、Ｓ８０４にて、表示系アンシラリ合成部７０５と記録系アンシラリ合成部７０６のそれぞれが、画像情報の付加を行う。具体的には、表示系アンシラリ合成部７０５は、グラフィック合成部７０４から出力された表示系画像データのアンシラリ領域に、撮影情報と、画像データが表示系画像データであることを示す画像情報と付加する。そして、記録系アンシラリ合成部７０６は、撮像部７０３から出力された記録系画像データのアンシラリ領域に、撮影情報と、画像データが記録系画像データであることを示す画像情報と付加する。
【００７８】
そして、Ｓ８０５にて、表示系アンシラリ合成部７０５と記録系アンシラリ合成部７０６のそれぞれが、画像データの出力を行う。具体的には、表示系アンシラリ合成部７０５は、画像情報が付加された後の表示系画像データを、表示系出力端子を介して、表示装置７０２へ出力する。そして、記録系アンシラリ合成部７０６は、画像情報が付加された後の記録系画像データを、記録系出力端子を介して、表示装置７０２へ出力する。
【００７９】
（表示装置７０２の処理フロー）
図１０のフローチャートを用いて、表示装置７０２の処理フローの一例について説明する。ここでは、２画面フォーカス確認モードが設定される場合の例を説明する。
【００８０】
まず、Ｓ９０１にて、モード設定部７１４は、２画面フォーカス確認モードを設定する。次に、Ｓ９０２にて、モード送信部７１５は、２画面フォーカス確認モードが設定されていることを示すモード情報を、撮像装置７０１へ送信する。その後、入力画像判断部７０８、階調変換部７０９、及び、画像処理部７１０の２つの組み合わせのそれぞれについて、Ｓ９０３〜Ｓ９０６の処理が行われる。
【００８１】
Ｓ９０３にて、入力画像判断部７０８は、入力画像判断部７０８に入力された画像デー
タに付加されている画像情報に基づいて、当該画像データが記録系画像データであるか表示系画像データであるかを判断する。具体的には、画像データが表示系画像データであることを示す画像情報が付加されている場合には、入力画像判断部７０８に入力された画像データが表示系画像データであると判断される。そして、画像データが記録系画像データであることを示す画像情報が付加されている場合には、入力画像判断部７０８に入力された画像データが記録系画像データであると判断される。入力画像判断部７０８に入力された画像データが表示系画像データであると判断された場合には、Ｓ９０４へ処理が進められる。入力画像判断部７０８に入力された画像データが記録系画像データであると判断された場合には、Ｓ９０５へ処理が進められる。
【００８２】
Ｓ９０４にて、階調変換部７０９は、入力画像判断部７０８から出力された画像データ（表示系画像データ）に対して、圧縮方式の階調変換処理を施す。そして、画像処理部７１０は、階調変換部７０９から出力された画像データ（圧縮方式の階調変換処理が施されている表示系画像データ）を、ピーキング処理を施さずに、レイアウト処理部７１１へ出力する。その後、Ｓ９０７へ処理が進められる。
【００８３】
Ｓ９０５にて、階調変換部７０９は、入力画像判断部７０８から出力された画像データ（記録系画像データ）に対して、クリップ方式の階調変換処理を施す。次に、Ｓ９０６にて、画像処理部７１０は、階調変換部７０９から出力された画像データ（クリップ方式の階調変換処理が施されている記録系画像データ）に対して、ピーキング処理を施す。そして、画像処理部７１０は、ピーキング処理によって得られた画像データ（クリップ方式の階調変換処理の後にピーキング処理が施されている記録系画像データ）を、レイアウト処理部７１１へ出力する。その後、Ｓ９０７へ処理が進められる。
【００８４】
Ｓ９０７にて、レイアウト処理部７１１は、２つの画像処理部７１０からそれぞれ出力された２つの画像データを合成するレイアウト処理を行い、レイアウト処理によって生成された画像データを表示部７１３へ出力する。そして、表示部７１３は、レイアウト処理部７１１から出力された画像データに基づく画像を表示する。それにより、所定の用途において好適な２画面表示が実現される。具体的には、フォーカス確認において好適な２画面表示が実現される。
【００８５】
以上のように、本実施例によれば、所定の表示モードが設定されている場合に、撮像装置と表示装置が連動することによって、所定の用途に好適なマルチ画面表示を実現することができる。例えば、フォーカス確認において好適なマルチ画面表示を実現することができる。
【００８６】
＜実施例３＞
以下、本発明の実施例３について説明する。実施例１，２では、好適なマルチ画面表示が行われる例を説明した。本実施例では、シングル画面表示（１つの画像（表示系画像または記録系画像）の表示）を好適に行う例を説明する。なお、以下では、実施例１と異なる点（構成、処理、等）について詳しく説明し、実施例１と同様の点についての説明は省略する。
【００８７】
（表示装置の構成）
本実施例に係る表示装置１００１の構成例について、図１１を用いて説明する。表示装置１００１は、入力端子、入力画像判断部１００２、階調変換部１００３、及び、画像処理部１００４の組み合わせを１つ有する。なお、表示装置１００１は、入力端子、入力画像判断部１００２、階調変換部１００３、及び、画像処理部１００４の組み合わせを複数有していてもよい。その場合には、複数の組み合わせのいずれかを選択的に使用することにより、シングル画面表示を実現することができる。
【００８８】
入力画像判断部１００２は、実施例１の入力画像判断部１０７と同様の処理を行う。階調変換部１００３は、実施例１の階調変換部１０８と同様の処理を行う。画像処理部１００４は、実施例１の画像処理部１０９と同様の処理を行う。表示部１００５は、画像処理部１００４から出力された画像データに基づく画像を表示する。
【００８９】
上記構成により、入力画像判断部１００２によって取得された画像データが記録系画像データである場合には、クリップ方式の階調変換処理の後にピーキング処理が施されている画像データに基づく画像が画面に表示される。入力画像判断部１００２によって取得された画像データが記録系画像データでない場合には、ピーキング処理が施されておらず、且つ、圧縮方式の階調変換処理が施されている画像データに基づく画像が画面に表示される。記録系画像データでない画像データとして、ピーキング処理が施されている画像データ（表示系画像データなど）が、入力画像判断部１００２によって取得されることもある。そのため、入力画像判断部１００２によって取得された画像データが記録系画像データでない場合には、ピーキング処理の後に圧縮方式の階調変換処理が施されている画像データに基づく画像が画面に表示されることもある。
【００９０】
（表示装置の処理フロー）
図１２のフローチャートを用いて、表示装置１００１の処理フローの一例について説明する。
【００９１】
まず、Ｓ１１０１にて、ユーザは、実施例１の撮像装置１０１の２つの出力端子（記録系出力端子と表示系出力端子）の一方に表示装置１００１の入力端子を接続する。次に、Ｓ１１０２にて、入力画像判断部１００２は、入力画像判断部１００２に入力された画像データが記録系画像データであるか否かを判断する。入力画像判断部１００２に入力された画像データが記録系画像データでないと判断された場合には、Ｓ１１０３へ処理が進められる。入力画像判断部１００２に入力された画像データが記録系画像データであると判断された場合には、Ｓ１１０４へ処理が進められる。
【００９２】
Ｓ１１０３にて、階調変換部１００３は、入力画像判断部１００２から出力された画像データ（表示系画像データ）に対して、圧縮方式の階調変換処理を施す。そして、画像処理部１００４は、階調変換部１００３から出力された画像データ（圧縮方式の階調変換処理が施されている表示系画像データ）を、ピーキング処理を施さずに、表示部１００５へ出力する。その後、Ｓ１１０６へ処理が進められる。
【００９３】
Ｓ１１０４にて、階調変換部１００３は、入力画像判断部１００２から出力された画像データ（記録系画像データ）に対して、クリップ方式の階調変換処理を施す。次に、Ｓ１１０５にて、画像処理部１００４は、階調変換部１００３から出力された画像データ（クリップ方式の階調変換処理が施されている記録系画像データ）に対して、ピーキング処理を施す。そして、画像処理部１００４は、ピーキング処理によって得られた画像データ（クリップ方式の階調変換処理の後にピーキング処理が施されている記録系画像データ）を、表示部１００５へ出力する。その後、Ｓ１１０６へ処理が進められる。
【００９４】
Ｓ１１０６にて、表示部１００５は、画像処理部１００４から出力された画像データに基づく画像を表示する。それにより、シングル画面表示が実現される。
【００９５】
以上述べたように、本実施例によれば、実施例１と同様の処理（クリップ方式の階調変換処理と、ピーキング処理との実行）により、好適な記録系画像のシングル画面表示を実現することができる。また、実施例１と同様の処理（圧縮方式の階調変換処理の実行、及び、ピーキング処理の非実行）により、好適な表示系画像のシングル画面表示を実現する
こともできる。
【００９６】
また、実施例１〜３によれば、表示装置において、表示装置に入力された画像データの種類が判断され、判断結果に応じて、階調変換処理、ピーキング処理、等の画像処理が切り替えられる。それにより、ユーザは、入力端子の種類、出力端子の種類、等を気にせずに、表示装置を他の装置（撮像装置など）に容易に接続して、好適な表示を確認することができる。
【００９７】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００９８】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【００９９】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１００】
１０２，７０２，１００１：表示装置  １０７，７０８，１００２：入力画像判断部
１０８，７０９，１００３：階調変換部  １０９，７１０，１００４：画像処理部
１１２，７１３，１００５：表示部  ７０１：撮像装置  ７０３：撮像部
７０４：グラフィック合成部  ７０５：表示系アンシラリ合成部
７０６：記録系アンシラリ合成部  ７１４：モード設定部
【図１】
2018124377.tif 000003
【図２】
2018124377.tif 000004
【図３】
2018124377.tif 000005
【図４】
2018124377.tif 000006
【図５】
2018124377.tif 000007
【図６】
2018124377.tif 000008
【図７】
2018124377.tif 000009
【図８】
2018124377.tif 000010
【図９】
2018124377.tif 000011
【図１０】
2018124377.tif 000012
【図１１】
2018124377.tif 000013
【図１２】
2018124377.tif 000014